(57)【要約】超音波振動子の電極や配線の腐食を確実に防止し、製品寿命を向上することができる超音波流量計の提供を課題とする。超音波流量計１０は、流路１１を形成する管１２を有する樹脂製の流量計本体１３と、管壁１４を介して超音波の送受信を行う一対の超音波振動子１６と、超音波振動子１６をそれぞれ収納した状態で管壁１４の外側に装着される一対の振動子ホルダ２０とを備える。振動子ホルダ２０は、円板状に形成された底部材２２と、底部材２２の内底面２７における外縁部に接合される筒部材２１とを備える。振動子ホルダ２０の外面５８において、底部材２２の外底面２８から底部材２２の側面２６を経て底部材２２と筒部材２１との接合部分６０にわたる領域を少なくとも覆うように、非ガス透過性の金属薄膜６１が形成されている。
2015198386.tif 000002
【特許請求の範囲】
【請求項１】
流体が流れる流路を形成する管を有する樹脂製の流量計本体と、
前記流路における上流側位置及び下流側位置にて各々管壁を隔てて対向配置された位置関係にあり、前記管壁を介して超音波の送受信を行う一対の超音波振動子と、
剛体からなる有底筒状の部材であり、前記超音波振動子をそれぞれ収納した状態で前記管壁の外側に装着される一対の振動子ホルダと
を備え、前記一対の超音波振動子間で送受信される超音波の伝搬時間の差に基づいて、前記流体の流量を計測する超音波流量計であって、
前記振動子ホルダは、
側面と、前記超音波振動子が固定される内底面と、前記内底面の反対側に位置する外底面とを有する板状に形成され、前記超音波振動子と前記管壁との間に介在される音響整合層として機能する底部材と、
前記底部材の前記内底面における外縁部に接合され、前記外底面を前記管壁側に押し付ける筒部材と
を備えて構成され、
前記振動子ホルダの外面において、前記底部材の前記外底面から前記底部材の前記側面を経て前記底部材と前記筒部材との接合部分にわたる領域を少なくとも覆うように、非ガス透過性の金属薄膜を形成した
ことを特徴とする超音波流量計。
【請求項２】
前記振動子ホルダにおける前記外面の全体に、前記金属薄膜を形成したことを特徴とする請求項１に記載の超音波流量計。
【請求項３】
前記振動子ホルダにおける前記外面の全体及び内面の全体に、前記金属薄膜を形成したことを特徴とする請求項１に記載の超音波流量計。
【請求項４】
前記金属薄膜は、金または白金からなることを特徴とする請求項１乃至３のいずれか１項に記載の超音波流量計。
【請求項５】
前記底部材は、音響インピーダンスが前記超音波振動子よりも小さく、かつ前記管壁よりも大きいセラミックスであることを特徴とする請求項１乃至４のいずれか１項に記載の超音波流量計。
【請求項６】
前記流量計本体の流路は、ストレート状に延設された直管部を有するとともにその直管部の両端が直角に曲がった形状の管路であり、
前記直管部における上流側及び下流側の各端部に前記一対の超音波振動子が設けられていることを特徴とする請求項１乃至５のいずれか１項に記載の超音波流量計。
【請求項７】
前記底部材の表面は、前記管壁の外面よりも表面粗さの値が大きいことを特徴とする請求項１乃至６のいずれか１項に記載の超音波流量計。
【請求項８】
前記底部材は、前記超音波の波長λに応じたλ／４の厚みを有することを特徴とする請求項１乃至７のいずれか１項に記載の超音波流量計。
【請求項９】
前記金属薄膜は、前記超音波の波長λの１／８の厚さよりも薄く形成されることを特徴とする請求項１乃至８のいずれか１項に記載の超音波流量計。
【請求項１０】
前記振動子ホルダにおいて前記金属薄膜を形成した前記外底面は、耐熱性及び耐薬品性を有するゴム製のシート状の緩衝部材を介して前記管壁に密着されることを特徴とする請求項１乃至９のいずれか１項に記載の超音波流量計
【請求項１１】
請求項１乃至１０のいずれか１項に記載の超音波流量計を製造する方法であって、
前記筒部材と前記底部材とを接着剤を用いて接合し、前記有底筒状の振動子ホルダを形成する接合工程と、
前記接合工程の後、前記振動子ホルダの外面に、非ガス透過性の金属薄膜を形成する薄膜形成工程と
を含むことを特徴とする超音波流量計の製造方法。
【発明の詳細な説明】
【技術分野】
【０００１】
本発明は、超音波を利用して流体の流量を測定する超音波流量計及びその製造方法に関するものである。
【背景技術】
【０００２】
従来、半導体の製造に用いられるＣＭＰ（Ｃｈｅｍｉｃａｌ Ｍｅｃｈａｎｉｃａｌ Ｐｏｌｉｓｈｉｎｇ）装置において、フッ酸や硫酸などの薬液（流体）の流量を管理するために超音波流量計が使用されている。超音波流量計では、測定用流体としての薬液を流す配管を有し、その配管の上流側及び下流側に一対の超音波振動子が設置されている。そして、それら超音波振動子を用いて超音波を送受信し、上流側から下流側に伝搬する超音波の伝搬時間と下流側から上流側に伝搬する超音波の伝搬時間との時間差に基づいて測定用流体の流量を求めている。また、薬液を流す配管として耐薬品性に優れたフッ素樹脂が用いられている。【０００３】
ＣＭＰ装置では、研磨処理の効率を高めるために高温（１００℃〜２００℃）の薬液が用いられる。フッ酸や硫酸などのような特殊な薬液を高温で使用する場合、ガス化した薬液が配管のフッ素樹脂を透過し、超音波振動子側に浸透する。この薬液の浸透によって、電極等が腐食することにより超音波流量計の寿命が短くなってしまう。【０００４】
因みに、特許文献１の超音波検出器では、フッ素樹脂である四フッ化エチレン・パーフルオロアルコキシエチレン（ＰＦＡ）を用いて樹脂ホルダを有底筒状に形成し、その樹脂ホルダの底部に超音波振動子が配置されている。この超音波検出器では、樹脂ホルダの表面（内面または外面）に非ガス透過性の金属薄膜が形成されており、金属薄膜によって、液体の気化ガスが樹脂ホルダの底部を通して内部に浸透するのを阻止するようになっている。
【先行技術文献】
【特許文献】
【０００５】
【特許文献１】特許第４１０６４９９号公報
【発明の開示】
【発明が解決しようとする課題】
【０００６】
ところで、特許文献１に開示されている超音波検出器では、樹脂ホルダの形成材料として、耐薬品性に優れるフッ素樹脂（ＰＦＡ）が用いられているが、この樹脂は離型性が良好でものが付着し難いといった性質を有している。このため、樹脂ホルダの表面に対して、十分な密着強度を有する金属薄膜を形成することが困難である。特に、ＣＭＰ装置等で使用する場合のように、高温（１００℃〜２００℃）の薬液の流量を測定する場合には、金属薄膜よりも樹脂が膨張するため樹脂ホルダの表面と金属薄膜との境界部分に応力が働く。さらに、熱によって樹脂が軟化する。このため、樹脂ホルダの表面から金属薄膜が剥がれ易くなったり、金属薄膜に皺がよったりするといった問題が懸念される。そして、この問題が生じる場合には、金属薄膜によって薬液の気化ガスを遮断することが困難となるため、超音波振動子の電極や配線等が腐食することにより、超音波検出器の寿命が短くなってしまう。【０００７】
本発明は上記の課題に鑑みてなされたものであり、その目的は、超音波振動子の電極や配線の腐食を確実に防止し、製品寿命を向上することができる超音波流量計を提供することにある。また、別の目的は、製品寿命の長い超音波流量計を効率よく確実に製造することができる超音波流量計の製造方法を提供することにある。
【課題を解決するための手段】
【０００８】
上記課題を解決するために、請求項１に記載の発明は、流体が流れる流路を形成する管を有する樹脂製の流量計本体と、前記流路における上流側位置及び下流側位置にて各々管壁を隔てて対向配置された位置関係にあり、前記管壁を介して超音波の送受信を行う一対の超音波振動子と、剛体からなる有底筒状の部材であり、前記超音波振動子をそれぞれ収納した状態で前記管壁の外側に装着される一対の振動子ホルダとを備え、前記一対の超音波振動子間で送受信される超音波の伝搬時間の差に基づいて、前記流体の流量を計測する超音波流量計であって、前記振動子ホルダは、側面と、前記超音波振動子が固定される内底面と、前記内底面の反対側に位置する外底面とを有する板状に形成され、前記超音波振動子と前記管壁との間に介在される音響整合層として機能する底部材と、前記底部材の前記内底面における外縁部に接合され、前記外底面を前記管壁側に押し付ける筒部材とを備えて構成され、前記振動子ホルダの外面において、前記底部材の前記外底面から前記底部材の前記側面を経て前記底部材と前記筒部材との接合部分にわたる領域を少なくとも覆うように、非ガス透過性の金属薄膜を形成したことを特徴とする超音波流量計をその要旨とする。【０００９】
従って、請求項１に記載の発明によると、流路が形成された管を有する樹脂製の流量計本体において、超音波振動子をそれぞれ収納した一対の振動子ホルダが管壁の外側に装着される。各振動子ホルダに収納されている一対の超音波振動子は、流路における上流側位置及び下流側位置にて各々管壁を隔てて対向配置された位置関係にある。このため、一対の超音波振動子間で超音波を送受信すると、流路を流れる流体の速度に応じて超音波の伝搬時間に差が生じる。従って、その伝搬時間の差に基づいて、流体の速度を求めることができ、さらにその流体の速度に基づいて、流体の流量を計測することができる。本発明の超音波流量計において、流量計本体における管内の流路に、腐食をもたらす流体（例えば、硫酸やフッ酸等の薬液）を流す場合には、耐薬品性に優れた樹脂（例えば、フッ素樹脂）を用いて流量計本体を形成したとしても、流体の濃度や温度が高くなると、液体の気化ガスが流路の管壁（樹脂部分）に浸透してしまうことがある。この対策として、本発明では、振動子ホルダの外面において、底部材の外底面から底部材の側面を経て底部材と筒部材との接合部分にわたる領域を少なくとも覆うように、金属薄膜が形成される。そして、その金属薄膜によって振動子ホルダ内へのガスの浸透が遮断される。この結果、振動子ホルダ内に収容された超音波振動子の電極や配線等の腐食を回避することができる。また、本発明の超音波流量計において、金属薄膜は、樹脂製の流量計本体側ではなく、剛体からなる振動子ホルダ（底部材及び筒部材）の表面に形成されている。従って、高温の流体の流量を計測する場合であっても、振動子ホルダの外面は樹脂表面のような熱膨張が生じ難いため、その振動子ホルダの外面に金属薄膜が密着した状態で確実に保持される。この結果、超音波流量計を長期間使用した場合でも、金属薄膜によって超音波振動子等の腐食を回避することができる。さらに、振動子ホルダにおいて、底部材の内底面に超音波振動子が固定されるとともに、その内底面における外縁部に接合された筒部材によって底部材の外底面が管壁側に押し付けられている。この底部材は、超音波振動子と管壁との間に介在され、音響整合層として機能するため、超音波振動子から出力された超音波を管壁を介して流体に効率よく伝搬させることができ、流体の流量を正確に測定することができる。【００１０】
請求項２に記載の発明は、請求項１において、前記振動子ホルダにおける前記外面の全体に、前記金属薄膜を形成したことをその要旨とする。【００１１】
従って、請求項２に記載の発明によると、振動子ホルダにおける外面の全体に、金属薄膜が形成されることにより、振動子ホルダ内の超音波振動子の電極や配線等の腐食を確実に防止することができる。またこの場合、金属薄膜をシールド層として機能させることができ、超音波振動子の出力信号に電気ノイズが重畳することを防止することができる。【００１２】
請求項３に記載の発明は、請求項１において、前記振動子ホルダにおける前記外面の全体及び内面の全体に、前記金属薄膜を形成したことをその要旨とする。【００１３】
従って、請求項３に記載の発明によると、振動子ホルダにおける外面の全体及び内面の全体に、２重に金属薄膜が形成されるため、振動子ホルダ内の超音波振動子の電極や配線等の腐食をより確実に防止することができる。またこの場合、２重のシールド構造によって超音波振動子や配線等が保護されるため、電気ノイズに対するシールド効果を高めることができる。【００１４】
請求項４に記載の発明は、請求項１乃至３のいずれか１項において、前記金属薄膜は、金または白金からなることをその要旨とする。【００１５】
従って、請求項４に記載の発明によると、金属薄膜を金または白金で形成することにより、腐食をもたらす流体（例えばフッ酸や硫酸などの薬液）を流路に流す場合であっても、その流体に対して十分な耐腐食性を確保することができる。【００１６】
請求項５に記載の発明は、請求項１乃至４のいずれか１項において、前記底部材は、音響インピーダンスが前記超音波振動子よりも小さく、かつ前記管壁よりも大きいセラミックスであることをその要旨とする。【００１７】
従って、請求項５に記載の発明によれば、超音波振動子と管壁との間に底部材を介在させることにより、各部材間の界面における音響インピーダンスの差を小さくすることができる。このため、流路を流れる液体に超音波を効率よく確実に伝搬させることができる。【００１８】
請求項６に記載の発明は、請求項１乃至５のいずれか１項において、前記流量計本体の流路は、ストレート状に延設された直管部を有するとともにその直管部の両端が直角に曲がった形状の管路であり、前記直管部における上流側及び下流側の各端部に前記一対の超音波振動子が設けられていることをその要旨とする。【００１９】
従って、請求項６に記載の発明によれば、一対の超音波振動子を用いて、直管部を流れる流体を介して超音波が送受信され、液体の流れに対して正方向及び逆方向に超音波が伝搬する際の伝搬時間がそれぞれ測定される。そして、それら伝搬時間の差から液体の流速を求めることができ、さらにその流速を流量に変換することにより、液体の流量を測定することができる。【００２０】
請求項７に記載の発明は、請求項１乃至６のいずれか１項において、前記底部材の表面は、前記管壁の外面よりも表面粗さの値が大きいことをその要旨とする。【００２１】
従って、請求項７に記載の発明によれば、底部材の表面（側面及び外底面）に、密着強度（剥離強度）が高く、剥離し難い金属薄膜を確実に形成することができる。【００２２】
請求項８に記載の発明は、請求項１乃至７のいずれか１項において、前記底部材は、前記超音波の波長λに応じたλ／４の厚みを有することをその要旨とする。【００２３】
従って、請求項８に記載の発明によれば、底部材を音響整合層として機能させることができ、管壁を介して液体に超音波を効率よく伝搬させることができる。【００２４】
請求項９に記載の発明は、請求項１乃至８のいずれか１項において、前記金属薄膜は、前記超音波の波長λの１／８の厚さよりも薄く形成されることをその要旨とする。【００２５】
従って、請求項９に記載の発明のように、金属薄膜を薄く形成すると、金属薄膜の表面において超音波が反射することがなく、超音波の伝搬に影響することがない。さらに、金属薄膜の材料費を低く抑えることができる。【００２６】
請求項１０に記載の発明は、請求項１乃至９のいずれか１項において、前記振動子ホルダにおいて前記金属薄膜を形成した前記外底面は、耐熱性及び耐薬品性を有するゴム製のシート状の緩衝部材を介して前記管壁に密着されることをその要旨とする。【００２７】
従って、請求項１０に記載の発明によれば、底部材の外底面がシート状の緩衝部材を介して管壁に密着されるので、超音波を確実に伝搬させることができる。ここで、底部材の外底面と管壁との間にグリス等を介在させる場合、高温で長期間使用すると、グリスはその形状を保持することができないため、それら部材間に隙間が生じて密着性が低下することがある。これに対して、本発明では、耐熱性及び耐薬品性を有するシート状の緩衝部材を用いているので、長期間使用しても緩衝部材が劣化することなく、底部材の外底面を管壁に確実に密着させることができる。【００２８】
請求項１１に記載の発明は、請求項１乃至１０のいずれか１項に記載の超音波流量計を製造する方法であって、前記筒部材と前記底部材とを接着剤を用いて接合し、前記有底筒状の振動子ホルダを形成する接合工程と、前記接合工程の後、前記振動子ホルダの外面に、非ガス透過性の金属薄膜を形成する薄膜形成工程とを含むことを特徴とする超音波流量計の製造方法をその要旨とする。【００２９】
従って、請求項１１に記載の発明によれば、接合工程において、筒部材と底部材とを接合して有底筒状の振動子ホルダを形成した後に薄膜形成工程が実施されるので、振動子ホルダの外面において、筒部材と底部材との接合部分を塞ぐように金属薄膜を確実に形成することができる。この結果、金属薄膜によって振動子ホルダ内に液体の気化ガスが入り込むことを防止することができ、振動子ホルダ内に収容された超音波振動子の電極や配線等の腐食が回避される。従って、本発明によると、製品寿命の長い超音波流量計を効率よく確実に製造することができる。
【発明の効果】
【００３０】
以上詳述したように、請求項１〜１０に記載の発明によると、超音波振動子の電極や配線の腐食を確実に防止し、超音波流量計の製品寿命を向上することができる。また、請求項１１に記載の発明によると、製品寿命の長い超音波流量計を効率よく確実に製造することができる。
【図面の簡単な説明】
【００３１】
【図１】一実施の形態の超音波流量計を示す断面図。
【図２】一実施の形態の超音波流量計の要部を示す拡大断面図。
【図３】一実施の形態の超音波振動子を示す断面図。
【図４】一実施の形態の超音波振動子を示す斜視図。
【図５】一実施の形態の振動子ホルダを示す分解斜視図。
【図６】一実施の形態の振動子ホルダを示す断面図。
【図７】別の実施の形態の振動子ホルダを示す断面図。
【図８】別の実施の形態の振動子ホルダを示す断面図。
【発明を実施するための最良の形態】
【００３２】
以下、本発明を超音波流量計に具体化した一実施の形態を図面に基づき詳細に説明する。【００３３】
図１に示される超音波流量計１０は、ＣＭＰ（Ｃｈｅｍｉｃａｌ Ｍｅｃｈａｎｉｃａｌ Ｐｏｌｉｓｈｉｎｇ）装置の薬液供給ラインの途中に設けられ、ＣＭＰ装置に供給される薬液Ｗ１（流体）の流量を測定する。本実施の形態において、ＣＭＰ装置に供給される薬液Ｗ１はフッ酸または硫酸であり、薬液Ｗ１の液温は１００℃以上２００℃以下の温度である。【００３４】
超音波流量計１０は、薬液Ｗ１が流れる流路１１を形成する管１２を有する樹脂製の流量計本体１３と、流路１１における上流側位置及び下流側位置にて各々管壁１４を隔てて対向配置された位置関係にある一対の超音波振動子１６とを備える。流量計本体１３の流路１１は、薬液循環ラインに接続される液体圧送用の管路であり、流れの方向に沿ってコ字状に形成されている。つまり、流量計本体１３の流路は、ストレート状に延設された直管部１８を有するとともにその直管部１８の両端が同一方向（図１では上側）に直角に曲がった形状の管路である。この流量計本体１３において、流路１１の直管部１８における上流側及び下流側の各端部に一対の超音波振動子１６が設けられている。流量計本体１３は、耐熱性及び耐薬品性に優れるフッ素樹脂（具体的には、ＰＦＡ）を用いて形成されており、直管部１８の長さは１０ｃｍ程度である。流量計本体１３の管１２内に形成される流路１１の断面形状は円形であり、その口径は６ｍｍ程度である。【００３５】
図１及び図２に示されるように、本実施の形態の超音波流量計１０は、剛体からなる有底筒状の部材であり、超音波振動子１６をそれぞれ収納した状態で流量計本体１３に装着される一対の振動子ホルダ２０をさらに備えている。より詳しくは、本実施の形態の振動子ホルダ２０は、円筒状の筒部材２１と、円板状の底部材２２とによって有底円筒状に形成されている（図５参照）。また、流量計本体１３において、直管部１８の両端に位置する管壁１４の外側には、収容凹部２３がそれぞれ形成されている。そして、各収容凹部２３内において、振動子ホルダ２０の底部材２２を直管部１８（管壁１４）側に向け、かつその底部材２２を緩衝部材２４を介して流路１１の管壁１４に当接させた状態で振動子ホルダ２０が収容されている。【００３６】
緩衝部材２４は、耐熱性及び耐薬品性に優れた材料（シリコーンゴムやフッ素ゴムなど）を用いて形成されたゴム製のシート状の部材である。なお、緩衝部材２４は、超音波の伝搬に影響がない厚さ（例えば、２００μｍ程度の厚さ）であり、底部材２２よりも薄く形成されている。また、シート状の緩衝部材２４に代えてグリス（例えばシリコーングリス）を塗布し、振動子ホルダ２０の底部材２２と管壁１４との密着性を保つように構成してもよい。【００３７】
振動子ホルダ２０を構成する筒部材２１は、シールド部材として機能する銅パイプからなり、外径が１２．５ｍｍ程度、長さが１５ｍｍ程度である。また、筒部材２１の内径は超音波振動子１６の直径よりも若干大きい。この筒部材２１の内側に超音波振動子１６を収容した状態では、筒部材２１の内面と超音波振動子１６の側面との間に隙間が形成されている。【００３８】
振動子ホルダ２０を構成する底部材２２は、シリカ（ＳｉＯ２）を含んで構成されたシリカ系のセラミックスであり、側面２６と、超音波振動子１６が固定される内底面２７と、内底面２７の反対側に位置する外底面２８とを有する円板状に形成されている（図５等参照）。底部材２２は、超音波振動子１６よりも大きい直径（筒部材２１と等しい１２．５ｍｍ程度の直径）を有している。そして、底部材２２の内底面２７において、超音波振動子１６の固定部よりも外側となる外縁部に筒部材２１の端部２９が接着剤を用いて接合されている。【００３９】
本実施の形態の超音波振動子１６は、例えば、チタン酸ジルコン酸鉛（ＰＺＴ）からなり、直径１０ｍｍ、厚さ１．０ｍｍ程度のサイズを有する円板状に形成されている。図３及び図４に示されるように、超音波振動子１６は、第１主面３１とその裏面側に設けられた第２主面３２とを有している。超音波振動子１６の各主面３１，３２には、折り返し電極３３ａを有する一対の電極３３，３４が設けられている。【００４０】
より詳しくは、超音波振動子１６において、第１主面３１側には第１電極３３（接地電極）が設けられており、その第１電極３３の表面が振動子ホルダ２０の底部材２２の内底面２７に接着固定されている（図５参照）。また、超音波振動子１６において、第２主面３２側には、第１主面３１側から折り返された第１電極３３の一部３３ａと第２電極３４（作動電極）とが設けられている。各電極３３，３４は銀を用いて形成されている。図５に示されるように、超音波振動子１６の第２主面３２側において電極３３ａにグランド線３６が接続されるとともに、第２電極３４に信号線３７が接続される。なお、第２主面３２において、電極３３ａと電極３４とは所定の間隔をあけて設けられており、それら電極間が絶縁されている（図３及び図４参照）。【００４１】
図２に示されるように、超音波振動子１６において、第１主面３１全体が振動子ホルダ２０における底部材２２に接着されており、その第１主面３１が、超音波を放射するための音響放射面として機能する。また、流路１１の管壁１４と超音波振動子１６との間に介在され、超音波振動子１６の音響放射面（第１主面３１）に接着される底部材２２が音響整合層として機能する。つまり、底部材２２は、音響インピーダンスが超音波振動子１６よりも小さく、かつ管壁１４よりも大きい部材であり、超音波を効率よく伝搬する。具体的には、超音波振動子１６（ＰＺＴ）の音響インピーダンスは、３０．０×１０６Ｎ・ｓ／ｍ３であり、底部材２２（音響整合層）の音響インピーダンスは、１２．５×１０６Ｎ・ｓ／ｍ３であり、管壁１４（ＰＦＡ）の音響インピーダンスは、２．６×１０６Ｎ・ｓ／ｍ３である。【００４２】
また、本実施の形態では、超音波振動子１６の共振周波数をｆとし、底部材２２中の音速をｖとしたときに、底部材２２の厚みｔ（＝０．６２５ｍｍ）が、ｔ＝｛ｖ／(４ｆ)｝±１０％の関係を満たすように底部材２２を形成している。つまり、超音波の波長λ（＝ｖ／ｆ）の１／４倍に対応する厚みｔで底部材２２が形成されている。なお、超音波振動子１６の共振周波数ｆは２ＭＨｚであり、底部材２２中の音速ｖは５０００ｍ／ｓ程度である。また、超音波振動子１６と底部材２２との間に介在する接着層（図示略）は、超音波の伝搬に影響がない厚さ（数十μｍ程度の厚さ）であり、底部材２２よりも薄く形成されている。【００４３】
図５に示されるように、振動子ホルダ２０を構成する筒部材２１において、底部材２２が接合される一方（図では下方）の端部２９とは反対側に位置する他方（図では上方）の端部３０側には、その端部３０から一方の端部２９側に延びるようにＵ字状の切り欠き部４０が形成されている。さらに、筒部材２１においてＵ字状の切り欠き部４０と対向する位置には、２本の細長いスリット溝４１が形成されている。そして、筒部材２１の内面において、２本のスリット溝４１にて挟まれた部位に、グランド線３６がはんだ付けされるようになっている。なお、本実施の形態では、超音波振動子１６の電極３３ａに接続されたグランド線３６の途中にて、その被覆の一部が除去されることで導線部分３６ａが露出しており、その露出した導線部分３６ａが筒部材２１にはんだ接続されている。【００４４】
図２に示されるように、筒部材２１において、切り欠き部４０やスリット溝４１が形成される端部３０には、銅からなる円板状の蓋部材４３がその端部３０の開口を塞ぐように配置されている。このように、筒部材２１、底部材２２及び蓋部材４３の各部材が超音波振動子１６を包囲するように配置される。【００４５】
流量計本体１３の収容凹部２３に振動子ホルダ２０を装着した場合、筒部材２１の切り欠き部４０が上方に位置し、切り欠き部４０よって上方が開口した形態となる。また、振動子ホルダ２０において、筒部材２１の切り欠き部４０には、同軸ケーブル用のレセプタクル４５が配置される。本実施の形態のレセプタクル４５は、ＳＭＢ仕様のレセプタクルであり、レセプタクル固定ナット４６及びレセプタクルワッシャ４７等を用いて流量計本体１３に固定されている。そして、そのレセプタクル４５には、同軸ケーブル４８の先端に取り付けられた同軸プラグ４９が結合されている。なお、同軸プラグ４９は、レセプタクル４５に結合可能なプラグ型のＳＭＢ同軸コネクタである。さらに、流量計本体１３において、レセプタクル４５と同軸プラグ４９との結合部を覆うように、有底二段円筒状のカバー部材５１が装着されている。カバー部材５１は、流量計本体１３と同様に、耐熱性及び耐薬品性に優れるフッ素樹脂（例えば、ＰＦＡ）を用いて形成されている。【００４６】
また、レセプタクル４５の中心導体５３と、超音波振動子１６の第２電極３４とが信号線３７を介して接続される。一方、レセプタクル４５の接地導体５４と、筒部材２１及び超音波振動子１６の第１電極３３の一部３３ａとがグランド線３６を介して接続される。この結果、超音波振動子１６の第１電極３３（接地電極）、筒部材２１、及び蓋部材４３が同電位（グランド電位）とされる。この構成により、信号線３７は、いずれも接地された超音波振動子１６の第１電極３３、筒部材２１、蓋部材４３、及びレセプタクル４５の接地導体５４によって囲まれた空間内に配置されている。従って、信号線３７の信号、つまり超音波振動子１６の出力信号にノイズが重畳することが効果的に防止される。【００４７】
さらに、振動子ホルダ２０の蓋部材４３の外側（図２では右側）には、波ワッシャ５６を介して押さえ蓋５７が配設されている。押さえ蓋５７は、流量計本体１３の収容凹部２３に螺着されており、波ワッシャ５６を介して振動子ホルダ２０を押圧する。この結果、振動子ホルダ２０において、筒部材２１を介して底部材２２の外底面２８が流路１１の管壁１４側に押し付けられる。これにより、振動子ホルダ２０の底部材２２（音響整合層）が緩衝部材２４を介して流路１１の管壁１４に密着されるようになっている。【００４８】
図６に示されるように、振動子ホルダ２０の外面５８において、底部材２２の外底面２８から底部材２２の側面２６を経て底部材２２と筒部材２１との接合部分６０にわたる領域を少なくとも覆うように、非ガス透過性の金属薄膜６１が形成されている。具体的には、金属薄膜６１によって、底部材２２の外底面２８及び底部材２２の側面２６の全面が被覆されるとともに、底部材２２と筒部材２１との接合部分６０を基準として、筒部材２１側に数ｍｍ程度の位置まで筒部材２１の外面６２が被覆されている。本実施の形態における金属薄膜６１は、耐腐食性に優れる金属材料（具体的には金または白金）からなる薄膜であり、数μｍ程度の厚さを有する。なお、この金属薄膜６１は、金または白金の真空蒸着によって形成された蒸着膜であり、気化した腐食性ガス３を全くあるいは殆ど透過させない性質を持つ。また、底部材２２は、シリカ系セラミックスからなり、その表面は、樹脂製の管壁１４（ＰＦＡ）の外面よりも表面粗さＲａの値が大きくなっている。具体的には、底部材２２の表面粗さＲａは１μｍ以上であり、管壁１４（ＰＦＡ）の表面粗さＲａは０．１μｍ以下である。従って、底部材２２の側面２６及び外底面２８に形成される金属薄膜６１は、十分な密着強度（剥離強度）を有している。【００４９】
図１に示される超音波流量計１０は、同軸ケーブル４８を介して図示しない制御装置に接続されている。制御装置は、ＣＰＵ、ＲＯＭ、ＲＡＭ、入出力回路等からなる周知のマイクロコンピュータを中心に構成されており、同軸ケーブル４８を介して入出力される信号の演算処理を行う。【００５０】
本実施の形態の超音波流量計１０では、流量計本体１３に装着された一対の超音波振動子１６を用い、流路１１の直管部１８を流れる薬液Ｗ１を介して超音波を送受信する。このとき、制御装置では、超音波の送信信号及び超音波の受信信号に基づいて、薬液Ｗ１の流れに対して正方向及び逆方向に超音波が伝搬する際の伝搬時間がそれぞれ測定される。そして、それら伝搬時間の差から薬液Ｗ１の流速が求められる。さらに、その流速を流量に変換することで、薬液Ｗ１の流量が測定される。そして、制御装置は、この測定結果に基づいて、ＣＭＰ装置に供給する薬液Ｗ１の流量を管理する。【００５１】
次に、超音波流量計１０の製造方法について以下に説明する。【００５２】
先ず、筒部材２１及び底部材２２を準備する。具体的には、銅からなるパイプ材を切断して所定の長さ（本実施の形態では１５ｍｍの長さ）の筒部材２１にする。その後、切削加工等を行うことにより、筒部材２１の端部３０にＵ字状の切り欠き部４０を形成するとともに２本の細長いスリット溝４１を形成する。なおここでは、切り欠き部４０及び細長いスリット溝４１を形成した後に、パイプ材を所定の長さに切断して筒部材２１を形成してもよい。さらに、シリカ（ＳｉＯ２）を含んだ板状のセラミックスを円板状に切削加工することで、直径が１２．５ｍｍの底部材２２を形成する。なおここで、セラミックスの未焼成材料を円板状に成形した後、焼成工程を行うことで、直径が１２．５ｍｍの底部材２２を形成してもよい。【００５３】
そして、底部材２２において内底面２７となる一方の表面に超音波振動子１６の第１電極３３を接着固定する。なおここでは、超音波振動子１６の第２主面３２における第１電極３３の折り返し部分の電極３３ａにグランド線３６をはんだ接続するとともに第２電極３４に信号線３７をはんだ接続した配線付きの超音波振動子１６を予め準備する。そして、底部材２２の内底面２７と超音波振動子１６の第１電極３３の表面とのいずれか一方に接着剤を塗布した後、底部材２２の内底面２７に超音波振動子１６を接着固定する。【００５４】
この後、筒部材２１と底部材２２との接合工程を行う。この接合工程では、筒部材２１において切り欠き部４０及びスリット溝４１が形成されていない一方の端面と底部材２２の内底面２７における外縁部とのいずれか一方に接着剤を塗布し、それら筒部材２１と底部材２２とを接着固定する。この結果、有底筒状の振動子ホルダ２０を形成する。【００５５】
この後、薄膜形成工程では、金または白金の真空蒸着により、振動子ホルダ２０の外面５８に金属薄膜６１を形成する。このとき、振動子ホルダ２０の外面５８において、底部材２２の外底面２８及び側面２６に金または白金の薄膜を蒸着させるとともに、底部材２２と筒部材２１との接合部分６０を含む領域（筒部材２１の外面６２の一部を含む領域）にも金または白金の薄膜を蒸着させる。本実施の形態の振動子ホルダ２０では、底部材２２と筒部材２１との接合部分６０を基準として、筒部材２１側に数ｍｍ程度の位置まで外面５８が被覆されるように金属薄膜６１を形成する。【００５６】
次に、筒部材２１の内面６４において、２本のスリット溝４１に挟まれた部位に、超音波振動子１６の電極３３ａから延びるグランド線３６にて露出した導線部分３６ａをはんだ接続する。そして、レセプタクル４５の接地導体５４にグランド線３６をはんだ接続するとともに、レセプタクル４５の中心導体５３に超音波振動子１６の第２電極３４から延びる信号線３７をはんだ接続する。その後、底部材２２の外底面２８にシート状の緩衝部材２４を密着配置させた状態で、流量計本体１３の収容凹部２３に振動子ホルダ２０を挿入する。またこのとき、筒部材２１におけるＵ字状の切り欠き部４０が上方に開口するよう振動子ホルダ２０を配置する。そして、切り欠き部４０にレセプタクル４５を配置し、レセプタクル固定ナット４６及びレセプタクルワッシャ４７等を用いてレセプタクル４５を流量計本体１３に固定する。さらに、収容凹部２３において、振動子ホルダ２０の後方から蓋部材４３を被せるとともに波ワッシャ５６を介して押さえ蓋５７を螺着する。この結果、押さえ蓋５７によって振動子ホルダ２０が押圧され、蓋部材４３及び筒部材２１を介して底部材２２の外底面２８が流路１１の管壁１４側に押し付けられた状態で振動子ホルダ２０が収容凹部２３に装着される。【００５７】
そして、同軸ケーブル４８の先端に設けられた同軸プラグ４９をレセプタクル４５に結合させる。さらに、流量計本体１３において、レセプタクル４５と同軸プラグ４９との結合部を覆うようにカバー部材５１を装着する。以上の工程を経て、図１に示すような超音波流量計１０が製造される。【００５８】
従って、本実施の形態によれば以下の効果を得ることができる。【００５９】
（１）本実施の形態の超音波流量計１０では、振動子ホルダ２０の外面５８において、底部材２２の外底面２８から底部材２２の側面２６を経て底部材２２と筒部材２１との接合部分６０にわたる領域を含み、外面５８の一部を覆うように、金属薄膜６１が形成される。この金属薄膜６１によって振動子ホルダ２０内へのガス（薬液Ｗ１の気化ガス）の浸透が遮断される。この結果、振動子ホルダ２０内に収容された超音波振動子１６の電極３３，３４や配線（グランド線３６や信号線３７）等の腐食を回避することができる。また、本実施の形態の超音波流量計１０において、金属薄膜６１は、樹脂製の流量計本体１３側ではなく、剛体からなる振動子ホルダ２０（筒部材２１及び底部材２２）の表面に形成されている。従って、高温の薬液Ｗ１の流量を計測する場合であっても、振動子ホルダ２０の外面５８は樹脂表面のような熱膨張が生じ難いため、振動子ホルダ２０の外面５８に金属薄膜６１が密着した状態で確実に保持される。この結果、超音波流量計１０を長期間使用した場合でも、金属薄膜６１によって超音波振動子１６等の腐食を回避することができる。【００６０】
（２）本実施の形態の超音波流量計１０では、振動子ホルダ２０において、底部材２２の内底面２７に超音波振動子１６が固定されるとともに、その内底面２７における外縁部に接合された筒部材２１によって底部材２２の外底面２８が管壁１４側に押し付けられている。この底部材２２は、超音波振動子１６と管壁１４との間に介在され、音響整合層として機能する。具体的には、底部材２２の音響インピーダンスは、超音波振動子１６よりも小さく、管壁１４よりも大きい。従って、超音波振動子１６と管壁１４との間にその底部材２２を介在させることにより、各部材間の界面における音響インピーダンスの差を小さくすることができる。さらに、底部材２２は、超音波の波長λに応じたλ／４の厚みを有する。このようにすると、超音波振動子１６から出力された超音波を管壁１４を介して薬液Ｗ１に効率よく伝搬させることができ、薬液Ｗ１の流量を正確に測定することができる。【００６１】
（３）本実施の形態の超音波流量計１０において、金属薄膜６１は、金または白金からなるので、腐食をもたらす薬液Ｗ１（フッ酸や硫酸などの薬液）を流路１１に流す場合であっても、その薬液Ｗ１に対して十分な耐腐食性を確保することができる。【００６２】
（４）本実施の形態の超音波流量計１０において、底部材２２はセラミックスであり、その表面は、樹脂製の管壁１４の外面よりも表面粗さＲａの値が大きくなっている。このようにすると、底部材２２の側面２６及び外底面２８に、密着強度（剥離強度）が高く、剥離し難い金属薄膜６１を確実に形成することができる。【００６３】
（５）本実施の形態の超音波流量計１０において、金属薄膜６１の厚さは数μｍであり、金属薄膜６１を伝搬する超音波の波長λの１／８（２００μｍ）の厚さよりも薄く形成されている。このように、金属薄膜６１を薄く形成することにより、金属薄膜６１の表面において超音波が反射することがなく、超音波の伝搬に影響することがない。さらに、金属薄膜６１の材料費を低く抑えることができる。【００６４】
（６）本実施の形態の超音波流量計１０では、底部材２２の外底面２８がゴム製のシート状の緩衝部材２４を介して管壁１４に密着されているので、超音波を確実に伝搬させることができる。また、緩衝部材２４は、耐熱性及び耐薬品性を有するので、長期間使用しても緩衝部材２４が劣化することなくシート形状が保持されるので、底部材２２の外底面２８を管壁１４に確実に密着させることができる。【００６５】
（７）本実施の形態では、接合工程において、筒部材２１と底部材２２とを接合して有底筒状の振動子ホルダ２０を形成した後に薄膜形成工程が実施される。従って、振動子ホルダ２０の外面５８において、筒部材２１と底部材２２との接合部分６０を塞ぐように金属薄膜６１を形成することができる。そして、金属薄膜６１によって振動子ホルダ２０内に薬液Ｗ１の気化ガスが入り込むことを防止することができ、振動子ホルダ２０内に収容された超音波振動子１６の電極３３，３４や配線３６，３７等の腐食が回避される。従って、本実施の形態によると、製品寿命の長い超音波流量計１０を効率よく確実に製造することができる。【００６６】
（８）本実施の形態の超音波流量計１０では、振動子ホルダ２０を構成する筒部材２１の端部３０側に２本のスリット溝４１が形成されており、それらスリット溝４１に挟まれた部分にグランド線３６がはんだを用いて接続されている。このようにスリット溝４１を形成すると、はんだ接続の際にはスリット溝４１間の部位から熱が逃げ難くなるため、グランド線３６のはんだ接続を容易に行うことができる。【００６７】
（９）本実施の形態では、超音波流量計１０の測定結果に基づいて、半導体の研磨処理に必要な量の薬液Ｗ１をＣＭＰ装置に確実に供給することができる。また、薬液Ｗ１は高温であるため、半導体の研磨処理を効率よく確実に行うことができる。【００６８】
なお、本発明の実施の形態は以下のように変更してもよい。【００６９】
・上記実施の形態の薄膜形成工程では、金または白金の真空蒸着によって金属薄膜６１を振動子ホルダ２０の外面５８に形成するものであったが、これに限定されるものではない。ＣＶＤや無電解めっき等の他の手法により、金属薄膜６１を形成してもよい。なお、無電解めっきで金属薄膜６１を形成する場合、先ず、無電解銅めっきを行って下地層となる銅めっき層を形成した後、金または白金の無電解めっきを行う。このようにしても、振動子ホルダ２０の外面５８に、耐腐食性に優れる金または白金の薄膜を形成することができる。【００７０】
・上記実施の形態の薄膜形成工程では、振動子ホルダ２０において、底部材２２と筒部材２１との接合部分６０を含む外面５８の一部に金属薄膜６１を形成するものであったが、これに限定されるものではない。図７に示されるように、振動子ホルダ２０Ａの外面６２の全体に金属薄膜６１を形成してもよい。また、図８に示されるように、振動子ホルダ２０Ｂの外面５８の全体に加えて内面６５の全体にも金属薄膜６１を形成してもよい。このように金属薄膜６１を形成すると、振動子ホルダ２０Ａ，２０Ｂ内の超音波振動子１６の電極３３，３４や配線（信号線３７及びグランド線３６）等の腐食をより確実に防止することができる。【００７１】
・上記実施の形態の超音波流量計１０において、振動子ホルダ２０を構成する筒部材２１は銅からなる金属製の部材であったが、これに限定されるものではない。図７や図８に示される振動子ホルダ２０Ａ，２０Ｂのように、外面５８の全体や内面６５の全体に金属薄膜６１を形成する場合、金属薄膜６１によって電気ノイズに対するシールド機能が確保される。このため、底部材２２と同様にセラミックス（剛体）によって筒部材２１を形成してもよい。【００７２】
・上記実施の形態では、底部材２２の内底面２７に超音波振動子１６を接着固定した後に、薄膜形成工程を行っていたが、これに限定されるものではない。これとは逆に、薄膜形成工程を行った後、底部材２２の内底面２７に超音波振動子１６を接着固定してもよい。【００７３】
・上記実施の形態では、チタン酸ジルコン酸鉛（ＰＺＴ）からなる超音波振動子１６を用いたが、超音波振動子１６の形成材料には特に限定されるものではない。具体的には、例えば、ニオブ酸カリウムナトリウム系（ニオブ酸アルカリ系）の圧電セラミックスからなる超音波振動子を用いてもよい。また、流量計本体１３の形成材料として、フッ素樹脂（具体的には、ＰＦＡ）を用いたが、耐熱性及び耐薬品性に優れるものであれば他の樹脂材料を用いてもよい。さらに、音響整合層として機能する底部材２２の形成材料についても、超音波振動子１６の音響インピーダンスや流量計本体１３の音響インピーダンスに応じて、適宜変更してもよい。【００７４】
・上記実施の形態の超音波流量計１０では、コ字状の流路１１が形成された管１２を有する流量計本体１３を用いたが、これに限定されるものではない。具体的には、直管部１８の両端がそれぞれ逆方向（例えば上側及び下側）に直角に曲がったＺ字状の流路や、それ以外の形状の流路が形成された管を有する流量計本体を用いてもよい。【００７５】
・上記実施の形態の超音波流量計１０は、ＣＭＰ装置の薬液供給ラインに用いられるものであったが、これに限定するものではない。薬液Ｗ１を用いて部品の洗浄や薬剤の生成等の処理を行う他の処理装置に超音波流量計１０を用いてもよい。【００７６】
次に、特許請求の範囲に記載された技術的思想のほかに、前述した実施の形態によって把握される技術的思想を以下に列挙する。【００７７】
（１）請求項１乃至１０のいずれか１項において、前記筒部材は、円筒形の銅パイプであり、円板状の前記超音波振動子よりも若干大きな内径を有していることを特徴とする超音波流量計。【００７８】
（２）技術的思想（１）において、前記筒部材には、前記超音波振動子の接地電極が電気的に接続されることを特徴とする超音波流量計。【００７９】
（３）請求項１乃至１０のいずれか１項において、前記流体は、半導体製造装置の薬液循環ラインを流れる薬液であることを特徴とする超音波流量計。【００８０】
（４）請求項１乃至１０のいずれか１項において、前記流体は、半導体製造装置の薬液循環ラインを流れる薬液としてのフッ酸または硫酸であり、前記薬液の液温は１００℃以上２００℃以下であることを特徴とする超音波流量計。【００８１】
（５）請求項１乃至１０のいずれか１項において、前記流量計本体は、フッ素樹脂からなることを特徴とする超音波流量計。【００８２】
（６）請求項１乃至１０のいずれか１項において、前記超音波の周波数は、２ＭＨｚ以上であることを特徴とする超音波流量計。【００８３】
（７）請求項１１において、前記薄膜形成工程では、金または白金の蒸着によって前記金属薄膜を形成することを特徴とする超音波流量計の製造方法。【００８４】
（８）請求項１１において、前記薄膜形成工程では、金または白金の無電解めっきによって前記金属薄膜を形成することを特徴とする超音波流量計の製造方法。【００８５】
（９）請求項１１において、前記薄膜形成工程では、前記底部材の表面に無電解銅めっきを行って下地層を形成した後に、金または白金の無電解めっきを行って金または白金の薄膜を形成することを特徴とする超音波流量計の製造方法。
【符号の説明】
【００８６】
１０…超音波流量計
１１…流路
１２…管
１３…流量計本体
１４…管壁
１６…超音波振動子
２０，２０Ａ，２０Ｂ…振動子ホルダ
２１…筒部材
２２…底部材
２４…緩衝部材
２６…側面
２７…内底面
２８…外底面
５８…外面
６０…接合部分
６１…金属薄膜
６５…内面
【図１】
2015198386.tif 000003
【図２】
2015198386.tif 000004
【図３】
2015198386.tif 000005
【図４】
2015198386.tif 000006
【図５】
2015198386.tif 000007
【図６】
2015198386.tif 000008
【図７】
2015198386.tif 000009
【図８】
2015198386.tif 000010
【国際調査報告】
2015198386.tif 000011
2015198386.tif 000012
2015198386.tif 000013
2015198386.tif 000014